(57)【要約】【課題】安全運転を促すことが可能な運転支援情報提供システムを提供することを目的とする。【解決手段】サーバ１４が、予め登録された車載器１２から車両の走行情報を位置情報と共に収集して、運転する際に注意が必要な場所を示す注意マップを生成して、生成した注意マップを運転支援情報として車載器１２に提供する。また、サーバ１４は、車載器１２から収集した走行情報に基づいて、対象車両の安全運転ランキングを生成し、安全運転ランキングを表す情報を運転支援情報として車載器１２に提供する。【選択図】図２
2019121235.tif 000002
【特許請求の範囲】
【請求項１】
予め登録された車両毎の走行情報を収集する収集部と、
前記収集部によって収集された前記走行情報に基づいて、対象車両の安全運転の順位を示す順位情報を生成する生成部と、
前記生成部によって生成された前記順位情報を前記対象車両に配信する配信部と、
を備えた運転支援情報提供システム。
【請求項２】
前記収集部が、積算距離情報及び区間距離情報の少なくとも一方の距離情報を前記車両毎に更に収集し、
前記生成部が、前記収集部によって収集された前記距離情報のうち切りの良い数字を表す距離情報がある場合に、当該距離情報に対応する車両利用者を特別枠として表示するための特別枠情報を生成し、
前記配信部が、前記特別枠情報を更に配信する請求項１に記載の運転支援情報提供システム。
【請求項３】
前記収集部が、前記走行情報に対応する位置情報を更に収集し、
前記生成部が、前記収集部によって収集された前記走行情報及び前記位置情報に基づいて、運転する際に注意が必要な注意場所を示す注意マップ情報を更に生成し、
前記配信部が、前記注意マップ情報を更に配信する請求項１又は請求項２に記載の運転支援情報提供システム。
【請求項４】
予め登録された車両毎の走行情報及び当該走行情報に対応する位置情報を収集する収集部と、
前記収集部によって収集された前記走行情報及び前記位置情報に基づいて、運転する際に注意が必要な注意場所を示す注意マップ情報を生成する生成部と、
前記生成部によって生成された前記注意マップ情報を前記車両に配信する配信部と、
を備えた運転支援情報提供システム。
【発明の詳細な説明】
【技術分野】
【０００１】
本発明は、車両の運転を支援する情報を提供する運転支援情報提供システムに関する。
【背景技術】
【０００２】
特許文献１には、例えば、アクセルとブレーキの踏み込み具合、車速、方向指示の変更、ステアリング操作、燃費などの車載センサ情報からの情報を統計的に分析して、ドライバの個性を求めて携帯端末に送信することが提案されている。また、携帯端末では、ドライバの分身としてのキャラクタを育成して表示し、近くにいるキャラクタ同士で交流することが提案されている。
【先行技術文献】
【特許文献】
【０００３】
【特許文献１】特開２０１６−１９７４２３号公報
【発明の概要】
【発明が解決しようとする課題】
【０００４】
しかしながら、特許文献１の技術では、運転者の個性に沿ってキャラクタを育成することは可能であるが、安全運転を促す点では改善の余地がある。
【０００５】
本発明は、上記事実を考慮して成されたもので、安全運転を促すことが可能な運転支援情報提供システムを提供することを目的とする。
【課題を解決するための手段】
【０００６】
上記目的を達成するために請求項１に記載の発明は、予め登録された車両毎の走行情報を収集する収集部と、前記収集部によって収集された前記走行情報に基づいて、対象車両の安全運転の順位を示す順位情報を生成する生成部と、前記生成部によって生成された前記順位情報を前記対象車両に配信する配信部と、を備える。
【０００７】
請求項１に記載の発明によれば、収集部では、予め登録された車両毎の走行情報が収集される。収集部は、例えば、走行情報として、舵角、車速、加速度、ブレーキ踏力、アクセル開度等の情報を収集する。
【０００８】
生成部では、収集部によって収集された走行情報に基づいて、対象車両の安全運転の順位を示す順位情報が生成される。例えば、急減速、急停車、急ハンドルなどの危険回避動作が少ない順に対象車両の安全運転の順位付けを行って順位情報を生成する。
【０００９】
そして、配信部では、生成部によって生成された順位情報が対象車両に配信される。これにより、対象車両では、順位情報を表示することが可能となり、安全運転の順位を意識した運転となり、安全運転を促すことが可能となる。
【００１０】
なお、収集部が、積算距離情報及び区間距離情報の少なくとも一方の距離情報を車両毎に更に収集し、生成部が、収集部によって収集された距離情報のうち切りの良い数字を表す距離情報がある場合に、当該距離情報に対応する車両利用者を特別枠として表示するための特別枠情報を生成し、配信部が、特別枠情報を更に配信してもよい。これにより、切りが良い数字の距離情報である車両の人だけではなく、周りの人も幸せな気分にさせることが可能となる。
【００１１】
また、収集部が、収集部が、走行情報に対応する位置情報を更に収集し、生成部が、収集部によって収集された走行情報及び位置情報に基づいて、運転する際に注意が必要な注意場所を示す注意マップ情報を更に生成し、配信部が、注意マップ情報を更に配信してもよい。これにより、車両では、注意マップを表示することが可能となり、注意マップにより運転する際に注意が必要な場所を知らせることができ、注意場所での安全運転を促すことが可能となる。
【００１２】
また、請求項４に記載の発明は、予め登録された車両毎の走行情報及び当該走行情報に対応する位置情報を収集する収集部と、前記収集部によって収集された前記走行情報及び前記位置情報に基づいて、運転する際に注意が必要な注意場所を示す注意マップ情報を生成する生成部と、前記生成部によって生成された前記注意マップ情報を前記車両に配信する配信部と、を備える。
【００１３】
請求項４に記載の発明によれば、収集部では、予め登録された車両毎の走行情報が収集される。収集部は、例えば、走行情報として、舵角、車速、加速度、ブレーキ踏力、アクセル開度等の情報を収集する。
【００１４】
生成部では、収集部によって収集された走行情報に基づいて、運転する際に注意が必要な注意場所を示す注意マップ情報が生成される。例えば、急減速、急停車、急ハンドルなどの危険回避動作の回数が予め定めた回数以上等の危険回避動作が多い場所を特定した注意マップ情報を生成する。
【００１５】
そして、配信部では、生成部によって生成された注意マップ情報が車両に配信される。これにより、車両では、注意マップを表示することが可能となり、注意マップにより運転する際に注意が必要な場所を知らせることができ、注意場所での安全運転を促すことが可能となる。
【発明の効果】
【００１６】
以上説明したように本発明によれば、安全運転を促すことが可能な運転支援情報提供システムを提供できる、という効果がある。
【図面の簡単な説明】
【００１７】
【図１】本実施形態に係る運転支援情報提供システムの概略構成を示す図である。
【図２】本実施形態に係る運転支援情報提供システムの具体的な構成例を示すブロック図である。
【図３】注意マップの一例を示す図である。
【図４】（Ａ）は安全運転ランキングの一例を示す図であり、（Ｂ）は特別枠としてキリ番の人を表示した例を示す図である。
【図５】本実施形態に係る運転支援情報提供システムの利用登録を行う際に車載器行われる処理の流れの一例を示すフローチャートである。
【図６】本実施形態に係る運転支援情報提供システムの利用登録を行う際にサーバで行われる処理の流れの一例を示すフローチャートである。
【図７】本実施形態に係る運転支援情報提供システムの利用登録後に車載器で行われる具体的な処理の流れの一例を示すフローチャートである。
【図８】本実施形態に係る運転支援情報提供システムの利用登録後にサーバで行われる具体的な処理の流れの一例を示すフローチャートである。
【図９】サーバが生成した注意マップや安全運転ランキング等の情報をＳＮＳ上に投稿する場合のサーバで行われる具体的な処理の流れの一例を示すフローチャートである。
【発明を実施するための形態】
【００１８】
以下、図面を参照して本発明の実施の形態の一例を詳細に説明する。図１は、本実施形態に係る運転支援情報提供システムの概略構成を示す図である。また、図２は、本実施形態に係る運転支援情報提供システムの具体的な構成例を示すブロック図である。
【００１９】
本実施形態に係る運転支援情報提供システム１０は、図１に示すように、車両に搭載された車載器１２と、サーバ１４とがネットワーク１６に接続された、所謂サーバネットワークシステムとされている。なお、図１では、車載器１２は、２つのみを示すが、複数の車載器１２がネットワーク１６に接続可能とされている。
【００２０】
車載器１２は、図２に示すように、ＣＰＵ１８Ａ、ＲＯＭ１８Ｂ、ＲＡＭ１８Ｃ、及びＩ／Ｏ（入出力インターフェース）１８Ｄがバス１８Ｅに接続されたコンピュータで構成された制御部１８を備えている。
【００２１】
ＲＯＭ１８Ｂには、運転支援情報を乗員に提供するためのプログラム等が記憶されている。ＲＯＭ１８Ｂに記憶されたプログラムをＲＡＭ１８Ｃに展開してＣＰＵ１８Ａが実行することにより、運転支援情報を乗員に提供する制御等を行う。本実施形態では、例えば、自車両の予め定めた範囲内における運転する際に注意する必要がある注意場所を示す注意マップを運転支援情報として表示する制御を行う。
【００２２】
Ｉ／Ｏ１８Ｄには、モニタ２０、操作部２２、スピーカ２４、舵角センサ２５、車速センサ２６、加速度センサ２７、ＧＰＳ（Global Positioning System）受信機２８、ブレーキセンサ２９、ジャイロセンサ３０、アクセルセンサ３１、ストレージ３２、通信制御部３４、及び車両ＥＣＵ３６が接続されている。なお、Ｉ／Ｏ１８Ｄと各部の接続はＣＡＮ（Controller Area Network）等の車内ネットワークを介して接続される形態でもよい。
【００２３】
モニタ２０は、車室内のセンタコンソール等に設けられ、上述の注意マップ等の運転支援情報を表示する。
【００２４】
操作部２２は、注意マップのモニタ２０への表示指示や、ナビゲーション案内の目的地設定等を行うためのタッチパネルや、スイッチ等を含む。すなわち、操作部２２を操作することによって注意マップ等の運転支援情報のモニタ２０への表示指示や、ナビゲーション案内の目的地設定等が可能とされている。
【００２５】
スピーカ２４は、運転支援情報などの各種音声や、ナビゲーション案内の音声、オーディオ等の音声を発生する。
【００２６】
舵角センサ２５は、車両のステアリングの操舵角度（以下、舵角と称す。）を検出し、検出結果を制御部１８に出力する。
【００２７】
車速センサ２６は、車両の走行速度（以下、車速と称する。）を検出し、検出結果を制御部１８に出力する。
【００２８】
加速度センサ２７は、車両に発生する加速度（前後方向及び車幅方向の少なくとも一方の加速度）を検出し、検出結果を制御部１８に出力する。
【００２９】
ＧＰＳ受信機２８は、ＧＰＳ衛星から時刻情報を含むＧＰＳ信号を受信し、受信結果を制御部１８へ出力する。これにより制御部１８では、複数のＧＰＳ信号に基づいて自車位置を測位して自車位置情報を得ることができる。
【００３０】
ブレーキセンサ２９は、乗員のブレーキ操作によるブレーキ踏力を検出し、検出結果を制御部１８へ出力する。
【００３１】
ジャイロセンサ３０は、加速度、角加速度、角速度などを検出し、検出結果を制御部１８に出力する。これにより、制御部１８では、ジャイロセンサ３０の検出結果に基づいて車両姿勢を検出できる。
【００３２】
アクセルセンサ３１は、乗員によるアクセル操作によるアクセル開度を検出し、検出結果を制御部１８へ出力する。なお、アクセルセンサ３１の代わりに、スロットル開度を検出するスロットルポジションセンサでもよい。
【００３３】
ストレージ３２には、設定された目的地までの経路案内を行うための地図情報が記憶されており、制御部１８が、設定された目的地までの経路案内をストレージ３２に記憶された地図情報に基づいて行う。また、ストレージ３２には、走行情報として、車両の走行情報を表す各センサの検出値と共に、検出した位置を表す位置情報を記憶する。本実施形態では、舵角センサ２５、車速センサ２６、加速度センサ２７、ブレーキセンサ２９、及びアクセルセンサ３１の各検出結果を走行情報として検出時の位置情報と共にストレージ３２に記憶する。
【００３４】
通信制御部３４は、携帯電話回線網等を利用した無線通信により、ネットワーク１６と通信を行うことで、サーバ１４との情報の授受を行う。
【００３５】
車両ＥＣＵ３６は、エンジン制御や、空調制御などの車両内の各種制御を行う。また、車両ＥＣＵ３６は、エンジンの制御状態から燃費を計測する機能を備えており、本実施形態では、制御部１８が車両ＥＣＵ３６から燃費情報（平均燃費やリアルタイム燃費等の情報）を取得可能とされている。
【００３６】
一方、サーバ１４は、ＣＰＵ４０Ａ、ＲＯＭ４０Ｂ、ＲＡＭ４０Ｃ、及びＩ／Ｏ（入出力インターフェース）４０Ｄがバス４０Ｅに接続されたコンピュータで構成されたサーバ制御部４０を備えている。なお、本実施形態では、サーバ１４は、収集部、生成部、及び配信部の機能を有し、サーバ制御部４０が収集部、生成部、及び配信部として機能する。
【００３７】
サーバ１４側のＲＯＭ４０Ｂには、予め登録された車載器１２から車両の走行情報と共に、位置情報を収集するためのプログラムや、車載器１２からの要求に応じて要求元の車載器１２の近くの安全運転上注意する必要がある注意場所を示す注意マップ、安全運転ランキング等の運転支援情報を提供するプログラム等が記憶されている。例えば、ＲＯＭ４０Ｂに記憶されたプログラムをＲＡＭ４０Ｃに展開してＣＰＵ４０Ａが実行することにより、車載器１２からの要求に応じて、注意マップや安全運転ランキング等の運転支援情報を生成して車載器１２に提供する制御等を行う。
【００３８】
Ｉ／Ｏ４０Ｄには、登録情報データベース（ＤＢ）４２、車両情報データベース（ＤＢ）４４、及び通信制御部３８が接続されている。
【００３９】
登録情報ＤＢ４２には、運転支援情報提供システム１０を利用するための利用登録情報（例えば、車載器１２を識別する識別情報や、当該車載器１２と通信を行うためのアドレス等の情報、当該車載器１２の利用者に関する情報等）が記憶される。
【００４０】
車両情報ＤＢ４４には、ネットワーク１６を介して車載器１２から収集した走行情報を当該走行情報に対応する位置情報と共に格納する。
【００４１】
通信制御部３８は、携帯電話回線網等を利用した無線通信により、ネットワーク１６と通信を行うことで、ネットワーク１６に接続された車載器１２との情報の授受を行う。
【００４２】
続いて、上述のように構成された本実施形態に係る運転支援情報提供システム１０における注意マップ等の運転支援情報の生成と提供の一例について説明する。
【００４３】
本実施形態に係る運転支援情報提供システム１０では、車載器１２の識別情報や、通信するためのアドレス情報、利用者に関する情報（名前やニックネーム等）等を利用登録情報として登録情報ＤＢ４２に格納することでサーバ１４に予め登録する。そして、サーバ１４が予め登録された車載器１２から車両の走行情報を位置情報と共に収集して、運転する際に注意が必要な場所を示す注意マップ情報を生成して、生成した注意マップ情報を運転支援情報として車載器１２に提供する。また、サーバ１４は、車載器１２から収集した走行情報に基づいて、順位情報としての安全運転ランキング情報を生成して対象車両の安全運転ランキング情報を運転支援情報として車載器１２に提供する。安全運転ラインキングは、場所毎に順位付けを行うようにしてもよい。例えば、注意マップ上の注意場所毎の安全運転ランキング情報を生成して車載器１２に提供してもよい。或いは、注意場所毎に重み付けを行い、注意場所を重視した順位付けとなるように安全運転ランキング情報を生成してもよい。また、サーバ１４は、車載器１２から燃費情報を収集して燃費情報から省エネルギーランキングを求めて運転支援情報として車載器１２に提供してもよい。
【００４４】
走行情報の収集は、予め登録された車載器１２が搭載され車両の走行情報を各センサによって検出すると共に、検出位置を表す位置情報を得て、ストレージ３２に順次格納する。なお、走行情報としては、走行情報（各センサの検出値）を全て検出するのではなく、例えば、急減速、急停車、急ハンドルなどの危険回避動作等を表す予め定めた条件を満たす走行情報（各センサの検出値）のみをストレージ３２に記憶してもよい。
【００４５】
サーバ１４は、各車両の車載器１２に収集された走行情報及び位置情報を車載器１２からネットワーク１６経由で受信することにより収集する。また、サーバ１４は、収集した走行情報及び位置情報を車両情報ＤＢ４４に格納する。
【００４６】
そして、サーバ１４は、車載器１２から運転支援情報としての注意マップの要求を受信した場合に、車両情報ＤＢ４４に格納された情報に基づいて、要求元の車載器１２の位置における予め定めた範囲内の注意マップ情報を生成して、要求元の車載器１２に返信する。注意マップ情報の生成方法としては、急減速、急停車、急ハンドルなどの危険回避動作が予め定めた回数以上行われた場所等の注意が必要な注意場所を特定して注意マップ情報を生成する。例えば、サーバ１４は、図３に示すように、要求元の車載器１２の自車位置５２を中央として、その周りの予め定めた範囲の注意が必要な注意場所５４を示した注意マップ５０を表す注意マップ情報を生成して運転支援情報として車載器１２送信する。或いは、注意場所５４を示した注意マップ５０を地図上に表示するための注意マップ情報を生成して運転支援情報として車載器１２に返信する。これにより、車載器１２では、図３に示すような注意マップ５０をモニタ２０に表示することが可能となり、運転する際に注意が必要な注意場所を知らせることができ、安全運転を促すことが可能となる。
【００４７】
また、サーバ１４は、車載器１２から運転支援情報としての安全運転ランキングの要求を受信した場合に、車両情報ＤＢ４４に格納された情報に基づいて、対象車両の安全運転ランキング情報を生成する。安全運転ランキングは、例えば、今週及び今月の対象車両の安全運転ランキング情報を生成する。安全運転ランキング情報の生成方法としては、例えば、車両情報ＤＢ４４に格納された情報に基づいて、急減速、急停車、急ハンドルなどの危険回避動作が少ない順に車載器１２を順位付けした安全運転ランキング情報を生成する。例えば、サーバ１４は、図４（Ａ）に示すような安全運転ランキング６０を表す安全運転ランキング情報を生成して車載器１２に返信する。或いは、安全運転ランキング６０をモニタ２０に表示するための安全運転ランキング情報を生成して車載器１２に返信する。これにより、車載器１２では、図４（Ａ）に示すような安全運転ランキング６０をモニタ２０に表示することが可能となり、安全運転を促すことが可能となる。図４（Ａ）では、要求元の車載器１２が搭載された対象車両の今週の安全運転ランキング６０が１２５位、今月の安全運転ランキング６０が１１１位の例を示す。なお、安全運転ランキング６０としては注意マップ５０における注意場所５４毎の安全運転ランキング情報を生成して車載器１２に返信してもよい。また、サーバ１４は、安全運転ランキング６０以外に、車載器１２から燃費情報を収集して燃費情報に基づく省エネルギーランキング情報を生成して運転支援情報として車載器１２に返信してもよい。これにより、燃費運転を促すことが可能となる。或いは、安全運転と省エネルギーとを総合評価して運転が上手な運転ランキング情報を生成して返信するようにしてもよい。また、サーバ１４が、車載器１２から情報を収集する際に、車両ＥＣＵ３６から積算距離（オドメータ）情報及び区間距離（トリップメータ）情報の少なくとも一方の距離情報も収集し、切りの良い予め定めた数字（キリ番）を表す距離情報がある場合に、安全運転ランキング６０の表示などの際に、図４（Ｂ）に示すように、特別枠６２としてキリ番に対応する車両利用者を表示してもよい。
【００４８】
次に、上述のように構成された本実施形態に係る運転支援情報提供システム１０の各部で行われる具体的な処理例について説明する。
【００４９】
図５は、本実施形態に係る運転支援情報提供システム１０の利用登録を行う際に車載器１２で行われる処理の流れの一例を示すフローチャートである。なお、図５の処理は、例えば、操作部２２が操作されて、運転支援情報の提供を受けるための利用登録が指示された場合に開始するものとする。
【００５０】
ステップ１００では、ＣＰＵ１８Ａが、予め定めた利用登録画面をモニタ２０に表示してステップ１０２へ移行する。利用登録画面としては、例えば、利用者の情報や、車両情報、利用者の名前やニックネームなどを入力するための画面を表示する。
【００５１】
ステップ１０２では、ＣＰＵ１８Ａが、利用登録画面に対する入力が終了したか否かを判定する。該判定は、例えば、利用者が操作部２２を操作して、利用登録画面の各項目を入力して、入力終了を示す操作が行われたか否かを判定する。該判定が肯定されるまで待機してステップ１０４へ移行する。
【００５２】
ステップ１０４では、ＣＰＵ１８Ａが、入力された利用登録情報を車載器１２の識別情報と共にサーバ１４に送信して利用登録時に車載器１２で行われる処理を終了する。
【００５３】
図６は、本実施形態に係る運転支援情報提供システム１０の利用登録を行う際にサーバ１４で行われる処理の流れの一例を示すフローチャートである。なお、図６の処理は、車載器１２から利用登録情報の送信が行われた場合に開始する。
【００５４】
ステップ１２０では、ＣＰＵ４０Ａが、車載器１２から送信された利用登録情報を受信完了するまで待機してステップ１２２へ移行する。
【００５５】
ステップ１２２では、ＣＰＵ４０Ａが、車載器１２から受信した利用登録情報を、車載器１２の識別情報と対応させて登録情報ＤＢ４２に記憶して、利用登録時にサーバ１４で行われる処理を終了する。
【００５６】
続いて、本実施形態に係る運転支援情報提供システムの利用登録が行われた後に行われる具体的な処理について説明する。
【００５７】
図７は、本実施形態に係る運転支援情報提供システム１０の利用登録後に車載器１２で行われる具体的な処理の流れの一例を示すフローチャートである。なお、図７の処理は、例えば、図示しないイグニッションスイッチがオンされた場合に開始する。
【００５８】
ステップ２００では、ＣＰＵ１８Ａが、走行情報及び当該走行情報に対応する位置情報を収集してステップ２０２へ移行する。本実施形態では、車両走行時に車載器１２が、舵角センサ２５、車速センサ２６、加速度センサ２７、ブレーキセンサ２９、及びアクセルセンサ３１の検出結果を走行情報として収集し、検出時の位置情報と共にストレージ３２に順次記憶する。なお、ストレージ３２に記憶する検出結果は、例えば、上述したように、急減速、急停車、急ハンドルなどの危険回避動作等を表す予め定めた条件を満たす検出値のみをストレージ３２に記憶することで、ストレージ３２の容量を節約することが可能となる。危険回避動作の検出の具体例としては、予め定めた加速度以上の急減速や急停車、予め定めた舵角以上かつ予め定めた加速度以上の横加速度の急ハンドルなどを危険回避動作として検出する。
【００５９】
ステップ２０２では、ＣＰＵ１８Ａが、走行情報の更新があるか否かを判定する。該判定は、後述のステップ２０４を前回に行った際の日付（走行情報を収集してサーバ１４に送信した際の日付）をストレージ３２に記憶しておき、後述のステップ２０４を前回行った日付より後の走行情報がストレージ３２に記憶されているか否かを判定する。該判定が肯定された場合にはステップ２０４へ移行し、否定された場合にはステップ２０６へ移行する。
【００６０】
ステップ２０４では、ＣＰＵ１８Ａが、サーバ１４へ未送信の走行情報及び位置情報をサーバ１４に送信してステップ２０６へ移行する。
【００６１】
ステップ２０６では、ＣＰＵ１８Ａが、注意マップ５０を表示する指示が操作部２２によって行われたか否かを判定する。該判定が肯定された場合にはステップ２０８へ移行し、否定された場合にはステップ２１４へ移行する。
【００６２】
ステップ２０８では、ＣＰＵ１８Ａが、通信制御部３４及びネットワーク１６を介してサーバ１４に対して注意マップ５０の送信を要求してステップ２１０へ移行する。
【００６３】
ステップ２１０では、ＣＰＵ１８Ａが、要求した注意マップ５０を表す注意マップ情報を受信するまで待機してステップ２１２へ移行する。
【００６４】
ステップ２１２では、ＣＰＵ１８Ａが、サーバ１４から受信した注意マップ５０をモニタ２０に表示してステップ２１４へ移行する。これにより、例えば、図３に示すように、運転する際に注意が必要な注意場所５４を地図上に示した注意マップ５０がモニタ２０に表示され、運転者に注意を促すことが可能となる。
【００６５】
ステップ２１４では、ＣＰＵ１８Ａが、安全運転ランキング６０を表示する指示が操作部２２によって行われたか否かを判定する。該判定が肯定された場合にはステップ２１６へ移行し、否定された場合にはステップ２２２へ移行する。
【００６６】
ステップ２１６では、ＣＰＵ１８Ａが、通信制御部３４及びネットワーク１６を介してサーバ１４に対して安全運転ランキング６０の送信を要求してステップ２１８へ移行する。
【００６７】
ステップ２１８では、ＣＰＵ１８Ａが、要求した安全運転ランキング６０を表す安全運転ランキング情報を受信するまで待機してステップ２２０へ移行する。
【００６８】
ステップ２２０では、ＣＰＵ１８Ａが、安全運転ランキング６０をモニタ２０に表示してステップ２２２へ移行する。これにより、例えば、図４（Ａ）に示すような安全運転ランキング６０がモニタ２０に表示され、運転者に安全運転を促すことが可能となる。
【００６９】
ステップ２２２では、ＣＰＵ１８Ａが、イグニッションスイッチがオフされたか否かを判定する。該判定が否定された場合にはステップ２００に戻って上述の処理を繰り返し、判定が肯定されたところで一連の車載器１２で行われる処理を終了する。
【００７０】
図８は、本実施形態に係る運転支援情報提供システム１０の利用登録後にサーバ１４で行われる具体的な処理の流れの一例を示すフローチャートである。なお、図８の処理は、車載器１２から注意マップ５０や安全運転ランキング６０の送信を要求するために車載器１２から通信要求があった場合に開始する。
【００７１】
ステップ３００ではＣＰＵ４０Ａが、車載器１２からの通信要求が車載器１２から送信された走行情報の受信であるか否かを判定する。該判定が肯定された場合にはステップ３０２へ移行し、否定された場合にはステップ３０６へ移行する。
【００７２】
ステップ３０２では、ＣＰＵ４０Ａが、車載器１２から受信した走行情報及び位置情報を利用者毎（例えば、車載器１２の識別情報毎）に車両情報ＤＢ４４に格納してステップ３０４へ移行する。なお、本実施形態では、ステップ３００及びステップ３０２が収集部に対応する。
【００７３】
ステップ３０４では、ＣＰＵ４０Ａが、車両情報ＤＢ４４に格納された走行情報と位置情報とに基づいて注意マップ５０及び安全運転ランキング６０を生成してステップ３０６へ移行する。例えば、注意マップ５０は、急減速、急停車、急ハンドルなどの危険回避動作が予め定めた回数以上行われた注意が必要な場所を特定して注意マップ５０を生成する。或いは、注意マップ５０を表示するための情報を生成する。また、車両情報ＤＢ４４に格納された情報に基づいて、急減速、急停車、急ハンドルなどの危険回避動作が少ない順に車載器１２を順位付けして対象車両の安全運転ランキング６０を生成する。安全運転ランキング６０は、利用者の登録時の名前を表示してもよいが、ニックネームを表示してもよい。また、車載器１２から積算距離や区間距離等の情報も収集し、キリ番を表す距離情報がある場合に、図４（Ｂ）に示すように、特別枠６２でキリ番に対応する車両利用者を表示してもよい。このようにキリ番の人を特別枠６２で表示することで、本人も周りの人も幸せな気分にすることが可能となる。なお、本実施形態では、ステップ３０４が生成部に対応する。
【００７４】
ステップ３０６では、ＣＰＵ４０Ａが、車載器１２からの通信要求が注意マップ５０の送信要求であるか否かを判定する。該判定が肯定された場合にはステップ３０８へ移行し、否定された場合にはステップ３１０へ移行する。
【００７５】
ステップ３０８では、ＣＰＵ４０Ａが、要求元の車載器１２に対して注意マップ情報を送信してステップ３１０へ移行する。すなわち、登録情報ＤＢ４２に格納された利用登録情報に基づいて、要求元の車載器１２の識別情報に対応する送信先のアドレス等を特定して、要求元の車載器１２に注意マップ５０を表す注意マップ情報を送信する。なお、注意マップ情報としては、注意マップ５０を表示するための情報を送信してもよい。また、本実施形態では、要求元の車載器１２に注意マップ情報を送信する例を示すが、サーバ１４に予め登録された全ての車載器１２に配信してもよい。
【００７６】
ステップ３１０では、ＣＰＵ４０Ａが、車載器１２からの通信要求が安全運転ランキング６０の送信要求であるか否かを判定する。該判定が肯定された場合にはステップ３１２へ移行し、否定された場合には一連のサーバ１４で行われる処理を終了する。
【００７７】
ステップ３１２では、ＣＰＵ４０Ａが、要求元の車載器１２に対して安全運転ランキング情報を送信して一連のサーバ１４で行われる処理を終了する。すなわち、登録情報ＤＢ４２に格納された利用登録情報に基づいて、要求元の車載器１２の識別情報に対応する送信先のアドレス等を特定して、要求元の車載器１２に安全運転ランキング６０を表す安全運転ランキング情報を送信する。なお、安全ランキング情報としては、安全運転ランキング６０を表示するための情報を送信してもよい。また、本実施形態では、要求元の車載器１２に安全運転ランキング情報を送信する例を示すが、サーバ１４に予め登録された全ての車載器１２に配信してもよい。また、本実施形態では、ステップ３０６〜３１２が、配信部に対応する。
【００７８】
このように、本実施形態では、サーバ１４が車載器１２から走行情報及び位置情報を収集して注意マップ５０や安全運転ランキング６０を生成し、運転支援情報として車載器１２に提供することで、安全運転を意識した運転となり、安全運転を促すことが可能となる。
【００７９】
なお、上記の実施形態では、サーバ１４が車載器１２から走行情報及び位置情報を収集して、注意マップ５０を生成する例を説明したが、注意マップの生成方法はこれに限るものではない。例えば、サーバ１４に登録する際に、利用者が利用しているＳＮＳ（Social Networking Service）の情報を登録し、サーバ１４が利用者のＳＮＳの投稿情報(撮影画像やテキスト）等を収集し、投稿情報を解析して注意マップを生成してもよい。
【００８０】
また、上記の実施形態では、サーバ１４が車載器から走行情報及び位置情報を収集して注意マップ５０を生成して運転支援情報として車載器１２に提供したが、運転支援情報の提供はこれに限るものではない。例えば、サーバ１４が、車載器１２から収集した走行情報のうち予め定めた区間の走行情報を抽出して、ＳＮＳ上に投稿してもよいもよいし、車載器１２に提供して予め定めた区間の走行情報をモニタ２０に表示してもよい。
【００８１】
また、上記の実施形態では、サーバ１４が注意マップ５０を生成して車載器１２のモニタ２０に表示することにより運転支援情報を提供する例を説明したが、これに限るものではない。例えば、サーバ１４に登録する際に、利用者が利用しているＳＮＳの情報を登録してサーバ１４からＳＮＳへの投稿を可能にし、サーバ１４が生成した注意マップ５０や安全運転ランキング６０等を表す情報をＳＮＳ上に投稿してもよい。この場合には、図９に示すように処理を行う。すなわち、ステップ３００〜３０４までは図８と同様に行い、ステップ３０４で注意マップ５０及び安全運転ランキング６０が生成されたのちにステップ３０５へ移行する。そして、ステップ３０５では、ＣＰＵ４０Ａが、生成した注意マップ５０及び安全運転ランキング６０を、予め登録されたＳＮＳ上または利用登録時に各利用者によって登録されたＳＮＳ上に投稿して一連の処理を終了する。これによって、ＳＮＳ上に注意マップ５０や安全運転ランキング６０を投稿することができ、ＳＮＳの利用者に対しても安全運転を促すことが可能となる。なお、図９では、注意マップ５０及び安全運転ランキング６０を共に生成してＳＮＳに投稿する例を示すが、注意マップ５０または安全運転ランキング６０の何れか一方を生成してＳＮＳに投稿してもよい。
【００８２】
また、上記の実施形態では、舵角センサ２５、車速センサ２６、加速度センサ２７、ブレーキセンサ２９、及びアクセルセンサ３１の検出結果を走行情報とした例を説明したが、走行情報はこれらに限るものではない。例えば、上記の全ての検出結果ではなく、何れか１以上の検出結果でもよいし、他の物理量を適用してもよい。
【００８３】
また、上記の実施形態における車載器１２及びサーバ１４で行われる処理は、プログラムを実行することにより行われるソフトウエア処理としてもよいし、ハードウエアで行う処理としてもよい。或いは、ソフトウエア及びハードウエアの双方を組み合わせた処理としてもよい。また、ソフトウエアの処理とした場合には、プログラムを各種記憶媒体に記憶して流通させるようにしてもよい。
【００８４】
さらに、本発明は、上記に限定されるものでなく、上記以外にも、その主旨を逸脱しない範囲内において種々変形して実施可能であることは勿論である。
【符号の説明】
【００８５】
１０    運転支援情報提供システム
１２    車載器
１４    サーバ（収集部、生成部、及び配信部）
１６    ネットワーク
４０    サーバ制御部（収集部、生成部、及び配信部）
５０    注意マップ
６０    安全運転ランキング
６２    特別枠
【図１】
2019121235.tif 000003
【図２】
2019121235.tif 000004
【図３】
2019121235.tif 000005
【図４】
2019121235.tif 000006
【図５】
2019121235.tif 000007
【図６】
2019121235.tif 000008
【図７】
2019121235.tif 000009
【図８】
2019121235.tif 000010
【図９】
2019121235.tif 000011